(57)【要約】【課題】納品時又は保管時は扁平であって、使用時には極めて容易に組立てられ、かつ把持も確実に行える紙トレーを提供する。【解決手段】平面長方形状の組立て自在な紙トレーＡの、底板１の左端に折り目ａを介して左側板２を設け、左側板２の上下の端縁に折り目ｂ、ｃを介して折り込み舌片３、４を設け、底板１の右端に折り目ｄを介して右側板５を設け、右側板５の上下の端縁に折り目ｅ、ｆを介して折り込み舌片６、７を設け、底板１の上端に折り目ｇを介して後側板８を設け、底板１の折り目ｇに一定幅の切り込み９を設け、後側板８の上端に折り目ｈを介して折り込み片１０を設け、折り込み片１０の上端に突部１３を設け、底板１の下端に折り目ｉを介して前側板１４を設け、底板１の折り目ｉに一定幅の切り込み１５を設け、前側板１４の下端に折り目ｊを介して折り込み片１６を設け、折り込み片１６の下端に突部１９を設けた。【選択図】図１
0003106288.tif 000002
【実用新案登録請求の範囲】
【請求項１】
平面長方形状又は正方形状であって、組立て自在な紙トレーにおいて、
底板の左端に折り目を介して左側板を設け、当該左側板の上下の端縁に夫々折り目を介して折り込み舌片を設け、当該底板の右端に折り目を介して右側板を設け、当該右側板の上下の端縁に夫々折り目を介して折り込み舌片を設け、
当該底板の上端に折り目を介して後側板を設け、当該底板の折り目に一定幅の貫通した切り込みを設け、当該後側板の上端に折り目を介して折り込み片を設け、当該折り込み片の上端に突部を設け、当該底板の下端に折り目を介して前側板を設け、当該底板の折り目に一定幅の貫通した切り込みを設け、当該前側板の下端に折り目を介して折り込み片を設け、上記折り込み片の下端に突部を設け、
当該組立て式紙トレーの組立てに際して、上記左側板及び右側板を各折り目により夫々折り上げ、当該左側板及び右側板の上下の各折り込み舌片を折り込み、上記後側板及び前側板を各折り目により折り上げ、当該後側板及び前側板の各折り込み片を各折り目により折り込み、上記後側板とその折り込み片及び前側板とその折り込み片の間に上記各折り込み舌片を挟持し、当該折り込み片の各突部を上記後側板及び前側板の各折り目に設けた切り込みに差し入れて、折り上げ又は折り込んだ上記後側板、後側板の折り込み片、前側板、前側板の折り込み片、左側板及び右側板相互を係止することを特徴とする、組立て式紙トレー。
【請求項２】
上記後側板及び前側板と各折り込み片との各折り目の略中央部から各折り込み片上に突出した半円弧状の切り込みを夫々設け、当該各半円弧状の切り込みの内側に一定径の貫通孔を夫々穿ち、
当該組立て式紙トレーを組立てた際、上記後側板及び前側板の上端に上記各半円弧状の切り込みによって夫々半円形状の突出部を形成し、当該組立て式紙トレーを把持する際の把持部とすることを特徴とする、上記請求項１に記載の組立て式紙トレー。
【請求項３】
上記後側板及び前側板を先太の略台形状に設け、当該後側板及び前側板の各折り込み片を当該後側板又は前側板とは逆の先細の略台形状に設け、上記左側板又は右側板の上下端の各折り込み舌片との折り目を夫々前後に広がった斜行した線によって設け、
当該紙トレーを組立てた際、各側板を上方に開いた形に設けたことを特徴とする、上記請求項１又は２の何れかに記載の組立て式紙トレー。
【考案の詳細な説明】
【技術分野】
【０００１】
この考案は、使用時には極めて容易に組立てられ、また容易に把持出来る、組立て式紙トレーに関するものである。
【背景技術】
【０００２】
従来から、ケーキなどの菓子の持ち帰りに際して紙箱が多く使用されている。これらの紙箱は、保管時は扁平に折り畳め、使用する際に容易に組立てられ、また保管や輸送の際には場所をとらず、安価であり、盛んに使用されている。
【考案の開示】
【考案が解決しようとする課題】
【０００３】
しかしながら、この様に使い勝手が良い組立て紙箱であるならば、商品の持ち帰り時のみならず、他の用途においても使用出来るものである。例えば、顧客の購買意欲を高めるために商品を中に詰めた状態が見えるように蓋を外して陳列したり、また贈物用にも中の商品が見えるような状態で包装しリボンを掛けたりする場合もある。この様な場合、上記商品を全て隠してしまう箱よりもトレーの様なものの方が使い勝手がよい。それ故この様な紙製トレーの開発が求められる。
【０００４】
この考案は、これらの点に鑑みて為されたもので、納品時又は保管時は扁平であって、使用時には極めて容易に組立てられ、かつ把持も確実に行える紙トレーを提供して上記課題を解決するものである。
【課題を解決するための手段】
【０００５】
請求項１の考案は、平面長方形状又は正方形状であって、組立て自在な紙トレーにおいて、底板の左端に折り目を介して左側板を設け、当該左側板の上下の端縁に夫々折り目を介して折り込み舌片を設け、当該底板の右端に折り目を介して右側板を設け、当該右側板の上下の端縁に夫々折り目を介して折り込み舌片を設け、当該底板の上端に折り目を介して後側板を設け、当該底板の折り目に一定幅の貫通した切り込みを設け、当該後側板の上端に折り目を介して折り込み片を設け、当該折り込み片の上端に突部を設け、当該底板の下端に折り目を介して前側板を設け、当該底板の折り目に一定幅の貫通した切り込みを設け、当該前側板の下端に折り目を介して折り込み片を設け、上記折り込み片の下端に突部を設けた。
【０００６】
当該組立て式紙トレーの組立てに際して、上記左側板及び右側板を各折り目により夫々折り上げ、当該左側板及び右側板の上下の各折り込み舌片を折り込み、上記後側板及び前側板を各折り目により折り上げ、当該後側板及び前側板の各折り込み片を各折り目により折り込み、上記後側板とその折り込み片及び前側板とその折り込み片の間に上記各折り込み舌片を挟持し、当該折り込み片の各突部を上記後側板及び前側板の各折り目に設けた切り込みに差し入れて、折り上げ又は折り込んだ上記後側板、後側板の折り込み片、前側板、前側板の折り込み片、左側板及び右側板相互を係止する組立て式紙トレーとした。
【０００７】
請求項２の考案は、上記後側板及び前側板と各折り込み片との各折り目の略中央部から各折り込み片上に突出した半円弧状の切り込みを夫々設け、当該各半円弧状の切り込みの内側に一定径の貫通孔を夫々穿ち、当該組立て式紙トレーを組立てた際、上記後側板及び前側板の上端に上記各半円弧状の切り込みによって夫々半円形状の突出部を形成し、当該組立て式紙トレーを把持する際の把持部とする上記請求項１に記載の組立て式紙トレーとした。
【０００８】
請求項３の考案は、上記後側板及び前側板を先太の略台形状に設け、当該後側板及び前側板の各折り込み片を当該後側板又は前側板とは逆の先細の略台形状に設け、上記左側板又は右側板の上下端の各折り込み舌片との折り目を夫々前後に広がった斜行した線によって設け、当該紙トレーを組立てた際、各側板を上方に開いた形に設けた上記請求項１又は２の何れかに記載の組立て式紙トレーとした。
【考案の効果】
【０００９】
請求項１乃至３の各考案によれば、扁平な状体で納品又は保管が出来て、組立てが極めて容易な紙トレーを得られるものである。また瞬時に紙トレーを組立てられるので、販売に際しても顧客を必要以上に待たすことがなく、顧客への円滑な対応ができるものであり、店舗の売上げにも貢献するものである。さらにこの紙トレーは、構成が簡単なので平面略四角形状であれば、長方形状や正方形状など様々なバリエーションのものが楽しめるものである。
【００１０】
請求項２の考案によれば、紙トレーを組立てた際、上記後側板及び前側板の上端に各半円弧状の切り込みによって夫々半円形状の突出部を形成させ、紙トレーを把持する際の把持部としたので、この紙トレーの中に商品を入れた場合でも、この把持部を持つことにより、当該紙トレーを確実に把持することが出来、店頭においても円滑に商品の販売等の作業を行うことが出来る。
【００１１】
また請求項３の考案によれば、上記後側板及び前側板を先太の略台形状に設け、これらの後側板及び前側板の各折り込み片を先細の略台形状に設け、上記左側板又は右側板の上下端の各折り込み舌片との折り目を夫々前後に広がった斜行した線によって設け、紙トレーを組立てた際、各側板を上方に開いた形に設けたので、この紙トレーに商品を盛り易く、また外側からも紙トレーに入れられた商品が見え易く、顧客の購買意欲を刺激し易い。その結果、店舗の売上げにも貢献するものである。
【考案を実施するための最良の形態】
【００１２】
平面長方形状又は正方形状であって、組立て自在な紙トレーにおいて、底板の左端に折り目を介して左側板を設け、当該左側板の上下の端縁に夫々折り目を介して折り込み舌片を設け、当該底板の右端に折り目を介して右側板を設け、当該右側板の上下の端縁に夫々折り目を介して折り込み舌片を設け、当該底板の上端に折り目を介して後側板を設け、当該底板の折り目の略中央に一定幅の貫通した切り込みを設け、当該後側板の上端に折り目を介して折り込み片を設け、当該折り込み片の上端の略中央に突部を設け、当該底板の下端に折り目を介して前側板を設け、当該底板の折り目の略中央に一定幅の貫通した切り込みを設け、当該前側板の下端に折り目を介して折り込み片を設け、上記折り込み片の下端の略中央に突部を設けた。
【００１３】
当該組立て式紙トレーの組立てに際して、上記左側板及び右側板を各折り目により夫々折り上げ、当該左側板及び右側板の上下の各折り込み舌片を折り込み、上記後側板及び前側板を各折り目により折り上げ、当該後側板及び前側板の各折り込み片を各折り目により折り込み、上記後側板とその折り込み片及び前側板とその折り込み片の間に上記各折り込み舌片を挟持し、当該折り込み片の各突部を上記後側板及び前側板の各折り目に設けた切り込みに差し入れて、折り上げ又は折り込んだ上記後側板、後側板の折り込み片、前側板、前側板の折り込み片、左側板及び右側板相互を係止した。
【００１４】
また上記後側板及び前側板と各折り込み片との各折り目の略中央部から各折り込み片上に突出した半円弧状の切り込みを夫々設け、当該各半円弧状の切り込みの内側に一定径の貫通孔を夫々穿ち、当該組立て式紙トレーを組立てた際、上記後側板及び前側板の上端に上記各半円弧状の切り込みによって夫々半円形状の突出部を形成し、当該組立て式紙トレーを把持する際の把持部とした。
【００１５】
上記後側板及び前側板を先太の略台形状に設け、当該後側板及び前側板の各折り込み片を当該後側板又は前側板とは逆の先細の略台形状に設け、上記左側板又は右側板の上下端の各折り込み舌片との折り目を夫々前後に広がった斜行した線によって設け、当該紙トレーを組立てた際、各側板を上方に開いた形に設けた。
【実施例１】
【００１６】
以下、この考案の実施例を図に基づいて説明する。
この実施例の組立て式紙トレーＡ（以下、単に「紙トレーＡ」という）は、図１に示す様に、長方形状の底板１の左端に折り目ａを介して左長側板２を設け、この左長側板２の上端に左上がりのやや斜行した折り目ｂを介して折り込み舌片３を設け、この左長側板２の下端に左下がりのやや斜行した折り目ｃを介して折り込み舌片４を設けている。また同様にこの底板２の右端に折り目ｄを介して右長側板５を設け、この右長側板５の上端に右上がりのやや斜行した折り目ｅを介して折り込み舌片６を設け、この右長側板５の下端に右下がりのやや斜行した折り目ｆを介して折り込み舌片７を設けている。
【００１７】
さらにこの底板１の上端に折り目ｇを介して先太の台形状の後側板８を設け、この底板１の折り目ｇの中央部に一定幅で凹状の貫通した切り込み９を設け、この後側板８の上端に折り目ｈを介して後側板８とは逆向きの先細の台形状の折り込み片１０を設けている。この折り目ｈの中央部から折り込み片１０上に突出させた半円弧状の切り込みを設け、この半円弧状の切り込み１１の内側に一定径を有する貫通孔１２を穿っている。またこの折り込み片１０の上端の中央部に凸状の突部１３を設けている。
【００１８】
同様に、この底板１の下端に折り目ｉを介して先太の台形状の前側板１４を設け、この底板１の折り目ｉの中央部に一定幅で凹状の貫通した切り込み１５を設け、この前側板１４の上端に折り目ｊを介して前側板１４とは逆向きの先細の台形状の折り込み片１６を設けている。この折り目ｊの中央部から折り込み片１６上に突出した半円弧状の切り込みを設け、この半円弧状の切り込み１７の内側に一定径を有する貫通孔１８を穿っている。またこの折り込み片１６の上端の中央部に凸状の突部１９を設けている。
【００１９】
次にこの紙トレーＡを組立てる手順を説明する。
図２に示す様に、この紙トレーＡの左長側板２及び右長側板５を各折り目ａ、ｄにより夫々折り上げる。この時、左長側板２及び右長側板５は直立ではなく、やや開いた形で斜めにして立設する。これらの左長側２板及び右長側板５の上下の各折り込み舌片３、４、６、７を夫々折り目ｂ、ｃ、ｅ、ｆにより内側に折り込む。図３に示す様に、上記後側板８及び前側板１４を各折り目ｇ、ｉにより夫々折り上げ、これらの後側板８及び前側板１４の各折り込み片１０、１６を各折り目ｈ、ｊにより、内側に折り込み、これらの後側板８と折り込み片１０及び前側板１４と折り込み片１６の間に、内側に折り込まれた各折り込み舌片３、４、６、７を挟持し、図４に示す様に、これらの折り込み片１０、１６の各突部１３、１９を後側板８及び前側板１４の各折り目ｇ、ｉに設けた切り込み９、１５に差し入れて係止する。
【００２０】
以上により、図５に示す様に、折り上げ又は折り込まれた後側板８、後側板８の折り込み片１０、前側板１４、前側板１４の折り込み片１６、左長側板２、左長側板２の各折り込み舌片３、４、右長側板５及び右長側板５の各折り込み舌片６、７は、相互に係止され、その形態を保持する。またこの時、折り込み片１０、１６に設けた切り込み１１、１７により、後側板８及び前側板１４の上端に各半円形状の突出部を形成し、この紙トレーＡを把持する際の把持部１１ａ、１７ａとなる。また紙トレーＡを上からセロファンなどで覆い、その上からリボンを掛けて上記把持部１１ａ、１７ａの貫通孔１２、１８の双方に通した後結んで、セロファンなどがはがれない様にすることも出来る。さらに左長側板２、右長側板５、後側板８、前側板１４が上方にやや開いた形状に設けられている。
【００２１】
上記実施例においては、後側板８及び前側板１４を台形状に設けているが、後側板８及び前側板１４の形状は台形状に限定するものではなく、長方形状や正方形状でもよく、また左長側板２及び右長側板５の各折り込み舌片３、４、６、７の折り目ｂ、ｃ、ｅ、ｆを斜行して設けているが、各折り込み舌片３、４、６、７の折り目ｂ、ｃ、ｅ、ｆは斜行したものに限定するものではない。
【００２２】
さらに底板１の前後の折り目ｇ、ｉに設けた凹状の切り込み９、１５及び各折り込み片１０、１６の上端に設けた凸状の突部１３、１９の形状は、何れも凹状や凸状のものに限定するものではない。またこれらの切り込み９、１５及び突部１３、１９を夫々一つづつ設けているが、図６に示す様に切り込み２０、２２及び突部２１、２３を二つづつ設けてもよい。さらに紙トレーＡを平面長方形状に設けたが紙トレーＡの形状は、長方形状に限らず、正方形状でもよい。また後側板８及び前側板１４に設けた把持部１１ａ、１７ａの形状は、半円形状に限定するものではない。
【図面の簡単な説明】
【００２３】
【図１】この考案の実施例の組立て式紙トレーの展開図である。
【図２】この考案の実施例の組立て式紙トレーの組立てにおいて、左長側板及び右長側板を立ち上げた状態を示す斜視図である。
【図３】この考案の実施例の組立て式紙トレーの組立てにおいて、後側板及び後側板側の折り込み片を左右の長側板に設けた折り込み舌片の上から被せつつある状態を示す斜視図である。
【図４】図３の状態から後側板側の折り込み片をさらに折り込み、この折り込み片の突部を底板の折り目に設けた切り込みに差し込んで係止した状態を示す斜視図である。
【図５】この考案の実施例の組立て式紙トレーを組立てた状態の斜視図である。
【図６】この考案の組立て式紙トレーの他の実施例の展開図である。
【符号の説明】
【００２４】
Ａ    組立て箱
１    底板                                  ２    左長側板
３    折り込み舌片                          ４    折り込み舌片
５    右長側板                              ６    折り込み舌片
７    折り込み舌片                          ８    後側板
９    切り込み                            １０    折り込み片
１１    切り込み                            １１ａ  把持部
１２    貫通孔                              １３    突部
１４    前側板                              １５    切り込み
１６    折り込み片                          １７    切り込み
１７ａ  把持部                              １８    貫通孔
１９    突部
【図１】
0003106288.tif 000003
【図２】
0003106288.tif 000004
【図３】
0003106288.tif 000005
【図４】
0003106288.tif 000006
【図５】
0003106288.tif 000007
【図６】
0003106288.tif 000008